(57)【要約】      （修正有）【課題】簡便に設置できる見守り機能付き浄水器を提供する。【解決手段】見守り機能付き浄水器１は、給水栓３に取付けられるとともに、給水栓３の吐水口３ｃから水を導入する導入口１２、および導入口１２から導入された水を流し台２に向けて導出する導出口１３を有する被取付部１０と、導入口１２と導出口１３とを接続し、水を流通させる第一流通部８０と、第一流通部８０に設けられ、水を浄化する浄水部４０と、第一流通部８０に設けられ、水の流れの有無を検出する検出部５０と、発電部６０と、制御装置７０とを備えている。制御装置７０は、通知先の情報を記憶する記憶部と、検出部５０によって検出された水の流れの有無に基づいて、対象者に異常があるか否かを判定する判定部と、判定部によって対象者に異常があると判定された場合、対象者の異常を通知先に通知する通知部と、を備えている。【選択図】図１
2019185157.tif 000002
【特許請求の範囲】
【請求項１】
流し台に設置された給水栓から供給される水を浄化して導出するとともに、対象者の異常を通知する見守り機能を有する見守り機能付き浄水器であって、
前記給水栓に取付けられるとともに、前記給水栓の吐水口から前記水を導入する導入口、および前記導入口から導入された前記水を前記流し台に向けて導出する導出口を有する被取付部と、
前記導入口と前記導出口とを接続し、前記水を流通させる第一流通部と、
前記第一流通部に設けられ、前記水を浄化する浄水部と、
前記第一流通部に設けられ、前記水の流れの有無を検出する検出部と、
通知先の情報を記憶する記憶部と、
前記検出部によって検出された前記水の流れの有無に基づいて、前記対象者に異常があるか否かを判定する判定部と、
前記判定部によって前記対象者に異常があると判定された場合、前記対象者の異常を前記通知先に通知する通知部と、を備えている見守り機能付き浄水器。
【請求項２】
前記判定部は、前記検出部によって前記水の流れが無いと第一所定時間以上連続して検出された場合、前記対象者に異常があると判定する請求項１に記載の見守り機能付き浄水器。
【請求項３】
前記判定部は、前記検出部によって前記水の流れが有ると第二所定時間以上連続して検出された場合、前記対象者に異常があると判定する請求項１または請求項２に記載の見守り機能付き浄水器。
【請求項４】
前記被取付部および前記浄水部は、別体に設けられ、
前記第一流通部は、
管状に設けられるともに、前記被取付部と前記浄水部とを連結し、前記導入口から導入された前記水を前記浄水部に導出する第一連結管と、
管状に設けられるともに、前記被取付部と前記浄水部とを連結し、前記浄水部から導出された前記水を前記導出口に向けて導出する第二連結管と、を備えている請求項１乃至請求項３の何れか一項に記載の見守り機能付き浄水器。
【請求項５】
前記導入口と前記導出口とを接続し、前記水を流通させる第二流通部と、
前記第一流通部および前記第二流通部の一方の前記水の流通を許容し、かつ、前記第一流通部および前記第二流通部の他方の前記水の流通を規制する切替を行う切替バルブと、
前記対象者によって操作されることにより、前記切替バルブによる前記切替を行う操作レバーと、が省略されている請求項１乃至請求項４の何れか一項に記載の見守り機能付き浄水器。
【請求項６】
前記検出部は、前記水の流れによって回転する羽根車の回転に基づいて、前記水の流れの有無を検出し、
前記羽根車の回転によって発電する発電部をさらに備えている請求項１乃至請求項５の何れか一項に記載の見守り機能付き浄水器。
【発明の詳細な説明】
【技術分野】
【０００１】
本発明は、見守り機能付き浄水器に関する。
【背景技術】
【０００２】
特許文献１乃至３には、在宅者等の対象者の見守りを行う見守り機能を有するシステムとして、対象者宅の水道の使用状態を監視し、対象者の異常を早期に発見して通知することが開示されている。このシステムは、水道メータに配置された流量センサの検出結果に基づいて、水道水が使用されたか否かを判定している。
【先行技術文献】
【特許文献】
【０００３】
【特許文献１】特開２０１６−６５８６号公報
【特許文献２】特開２００３−６３３７号公報
【特許文献３】特公平７−６９９９５号公報
【発明の概要】
【発明が解決しようとする課題】
【０００４】
しかしながら、水道メータが地中に設けられている場合や水道メータが地上に設けられている場合であってもその場所によっては、流量センサひいてはシステムを設置することが簡便でないことがある。
【０００５】
本発明は、上述した問題を解消するためになされたもので、簡便に設置できる見守り機能付き浄水器を提供することを目的とする。
【課題を解決するための手段】
【０００６】
上記の課題を解決するため、請求項１に係る見守り機能付き浄水器は、流し台に設置された給水栓から供給される水を浄化して導出するとともに、対象者の異常を通知する見守り機能を有する見守り機能付き浄水器であって、給水栓に取付けられるとともに、給水栓の吐水口から水を導入する導入口、および導入口から導入された水を流し台に向けて導出する導出口を有する被取付部と、導入口と導出口とを接続し、水を流通させる第一流通部と、第一流通部に設けられ、水を浄化する浄水部と、第一流通部に設けられ、水の流れの有無を検出する検出部と、通知先の情報を記憶する記憶部と、検出部によって検出された水の流れの有無に基づいて、対象者に異常があるか否かを判定する判定部と、判定部によって対象者に異常があると判定された場合、対象者の異常を通知先に通知する通知部と、を備えている。
【発明の効果】
【０００７】
これによれば、見守り機能付き浄水器は、対象者宅の屋内に設けられている流し台またはその周辺に配置することができる。具体的には、被取付部を流し台に設置された給水栓に取付し、他の部位を流し台またはその周辺に配置することができる。したがって、本発明の見守り機能付き浄水器は、従来技術のような水道メータを利用した見守り機能を有するシステムに比べて簡便に設置することができる。
【図面の簡単な説明】
【０００８】
【図１】本発明の第一実施形態に係る見守り機能付き浄水器の概要図である。
【図２】図１に示す検出部の部分断面図である。
【図３】図１に示す制御装置のブロック図である。
【図４】図１に示す制御装置が実行するプログラムのフローチャートである。
【図５】本発明の第二実施形態に係る見守り機能付き浄水器の被取付部の断面図である。
【図６】従来技術の浄水器の断面図であり、切替バルブが第一位置に位置する状態が示されている。
【図７Ａ】図６に示すVII-VII線に沿った従来技術の浄水器の断面図であり、切替バルブが第一位置に位置する状態が示されている。
【図７Ｂ】図６に示すVII-VII線に沿った従来技術の浄水器の断面図であり、切替バルブが第二位置に位置する状態が示されている。
【発明を実施するための形態】
【０００９】
＜第一実施形態＞
以下、本発明の第一実施形態に係る見守り機能付き浄水器（以下、浄水器とする。）について説明する。なお、本明細書においては説明の便宜上、図１における上側および下側をそれぞれ浄水器１の上方および下方として説明する。
【００１０】
浄水器１は、流し台２に設置された給水栓３から供給される水を浄化して導出するとともに、対象者の異常を通知する見守り機能を有するものである。対象者は、浄水器１の使用者である。見守り機能は、対象者の給水栓３から供給される水の使用状態に基づいて、対象者の見守りを行う管理者（例えば対象者の親族）に対して、対象者の異常を通知するものである（詳細は後述する）。
【００１１】
流し台２は、例えば台所に設置されている。流し台２は、図１に示すように、天板２ａおよび水を流す流し部２ｂを備えるとともに、給水栓３が設けられている。
【００１２】
給水栓３は、水道配管（図示なし）に接続され、水道配管を流れる水（上水）を吐出するものである。給水栓３は、開閉弁３ａおよび吐水管３ｂを備えている。開閉弁３ａは、開状態である場合に水の流れを許容し、閉状態である場合に水に流れを規制するものである。開閉弁３ａは、開状態である場合に水道配管からの水を吐水管３ｂに導出する。開閉弁３ａは、例えばレバー（図示なし）によって開状態と閉状態との切替が行われる。
【００１３】
吐水管３ｂは、開閉弁３ａからの水を、先端部（右側の端部）に設けられた吐水口３ｃから吐出するものである。吐水口３ｃは、下方に向けて開口するように設けられている。よって、吐水口３ｃは、水を下方に向けて吐出する。
【００１４】
浄水器１は、据置型の浄水器である。浄水器１は、被取付部１０、管状に設けられた第一連結管２０および第二連結管３０、浄水部４０、検出部５０、発電部６０ならびに制御装置７０を備えている。本第一実施形態において、被取付部１０および浄水部４０は、別体に設けられている。
【００１５】
被取付部１０は、吐水管３ｂの先端部に取付けられている。被取付部１０は、本体部１１、導入口１２、導出口１３、第一接続部１４、第二接続部１５、第一水路１６および第二水路１７を備えている。導入口１２、導出口１３、第一接続部１４、第二接続部１５、第一水路１６および第二水路１７は、本体部１１に設けられている。
【００１６】
本体部１１は、給水栓３における吐水管３ｂの先端部に取付可能に設けられている。本体部１１は、軸線方向が上下方向に沿った円柱状に設けられている。本体部１１の上端部１１ａは、上方に向けて突出する円柱状に設けられている。上端部１１ａの周側面には、ねじ溝（図示なし）が設けられている。上端部１１ａが、吐水管３ｂの先端部に、取付アダプタ４および取付ナット５によって取り付けられることによって、本体部１１が吐水管３ｂに取り付けられる。
【００１７】
取付アダプタ４は、吐水管３ｂの先端部に取付けられるものである。取付アダプタ４は、吐水管３ｂの先端部に嵌る環状に設けられている。取付アダプタ４は、吐水管３ｂの先端部の形状に対応して複数設けられており、吐水管３ｂの形状に応じて選択される。
【００１８】
取付ナット５は、上端部１１ａの上面および周側面を覆う蓋状に設けられている。取付ナット５の周側面の内側には、上端部１１ａと嵌合するねじ溝（図示なし）が設けられている。取付ナット５が上端部１１ａと嵌合した場合、取付アダプタ４とともに吐水管３ｂの先端部が上端部１１ａに固定される。
【００１９】
また、上端部１１ａには、後述する環状の取付パッキン６を配置可能な段部１１ｂが設けられている。上端部１１ａは、取付パッキン６が段部１１ｂに配置された場合、取付パッキン６の上面と上端部１１ａの上面とが同一面となるように設けられている。
【００２０】
取付パッキン６は、環状に設けられた弾性部材である。取付パッキン６は、上端部１１ａの段部１１ｂに配置される。上端部１１ａが吐水管３ｂに先端部に取付けられた場合、取付パッキン６が吐水口３ｃの周縁と段部１１ｂの底面とによって挟持されることにより、本体部１１からの水の漏出が防止される。
【００２１】
導入口１２は、給水栓３の吐水口３ｃから水を導入するものである。導入口１２は、段部１１ｂの底面に、上方に向けて開口するように設けられている。上端部１１ａが吐水管３ｂの先端部に取付けられた場合、導入口１２は、取付パッキン６の貫通穴６ａを介して吐水口３ｃと対向するように設けられている。
【００２２】
導出口１３は、導入口１２から導入された水を流し台２に向けて導出するものである。導入口１２から導入された水は浄水部４０および検出部５０を通って導出口１３に導出される（詳細は後述する）。導出口１３は、本体部１１の下面における導入口１２の真下の位置に、下方に向けて開口するように設けられている。
【００２３】
第一接続部１４は、第一連結管２０の第一端に接続され、導入口１２から導入された水を第一連結管２０に導出する部位である。第一接続部１４は、被取付部１０の側面から側方に突出する円柱状に設けられている。第一接続部１４の突出端には、導入口１２から導入された水を導出する第一接続口１４ａが設けられている。第一接続部１４と第一連結管２０とは、例えば継手７ａによって液密にかつ着脱可能に接続されている。
【００２４】
第二接続部１５は、第二連結管３０の第一端に接続され、浄水部４０から導出された水を導出口１３に向けて導出する部位である。第二接続部１５は、被取付部１０の側面から側方に突出する円柱状に設けられている。第二接続部１５の突出端には、浄水部４０から導出された水を導入する第二接続口１５ａが設けられている。第二接続部１５と第二連結管３０とは、例えば継手７ｂによって液密にかつ着脱可能に接続されている。
【００２５】
第一水路１６は、第一端に導入口１２が設けられ、かつ、第二端に第一接続口１４ａが設けられ、水を流通させる流路である。第二水路１７は、第一端に第二接続口１５ａが設けられ、かつ、第二端に導出口１３が設けられ、水を流通させる流路である。
【００２６】
第一連結管２０は、管状に設けられるともに、被取付部１０と浄水部４０とを連結し、導入口１２から導入された水を浄水部４０に導出するものである。第一連結管２０の第二端は、例えば継手（図示なし）によって浄水部４０に液密かつ着脱可能に接続されている。また、第一連結管２０は、検出部５０を配置可能に、上流側連結管２０ａおよび下流側連結管２０ｂに分割されて構成されている。
【００２７】
第二連結管３０は、管状に設けられるともに、被取付部１０と浄水部４０とを連結し、浄水部４０から導出された水を導出口１３に向けて導出するものである。第二連結管３０の第二端は、例えば継手（図示なし）によって浄水部４０に液密かつ着脱可能に接続されている。
【００２８】
浄水部４０は、水を浄化するものである。浄水部４０は、第一連結管２０の第二端と第二連結管３０の第二端とを接続して、水を流通させる浄水路４１を備えている。浄水路４１を流通する水は、例えば活性炭を用いて濾過されることにより浄化される。
【００２９】
上述した第一水路１６、第一連結管２０、浄水路４１、第二連結管３０および第二水路１７によって、第一流通部８０が構成されている。すなわち、第一流通部８０は、導入口１２と導出口１３とを接続し、水を流通させるものである。このように、浄水部４０は、第一流通部８０に設けられている。
【００３０】
検出部５０は、水の流れの有無を検出するものである。検出部５０は、第一連結管２０に設けられている。すなわち、検出部５０は、第一流通部８０に設けられている。検出部５０は、羽根車式の流量スイッチである。検出部５０は、図２に示すように、上流側連結管２０ａと下流側連結管２０ｂとを接続して水を流通させる検出部水路５１、羽根車５２および光電センサ５３を備えている。
【００３１】
羽根車５２は、第一連結管２０を流れる水によって押されることにより回転軸５２ａ周りに回転するものである。羽根車５２の回転数は、水の流量（単位時間あたりの流量）に正比例する。
【００３２】
光電センサ５３は、羽根車５２の回転数を検出するものである。光電センサ５３は、断面Ｕ字状に形成された透過型の光電センサである。光電センサ５３によって検出された回転数が、洗浄水の流量として検出される。
【００３３】
検出部５０は、水の流れによって回転する羽根車５２の回転に基づいて、水の流れの有無を検出する。検出部５０は、具体的には、羽根車５２の回転数（単位時間あたりの回転数）が所定回転数以上である場合、水の流れが有ると検出する。所定回転数は、第一連結管２０を流れる水の流量が所定流量（例えば０．１Ｌ／分）である場合の回転数に相当する。検出部５０の検出信号は、制御装置７０に出力される。
【００３４】
発電部６０は、羽根車５２の回転によって発電するものである。発電部６０は、例えばモータを同期発電電動機として用いたものであり、永久磁石（図示なし）が埋め込まれた回転子と、三相コイルが巻回された固定子（図示なし）と、を備えている。回転子は、羽根車５２の回転軸５２ａを用いて構成されている。発電部６０は、第一連結管２０に流れる水によって羽根車５２ひいては回転軸５２ａが回転することによって発電する。発電部６０によって発電された電力は、制御装置７０に出力される。
【００３５】
制御装置７０は、浄水器１を統括制御するものである。制御装置７０は、図３に示すように、記憶部７１、取得部７２、判定部７３、通知部７４、電力変換部７５および蓄電部７６を備えている。
【００３６】
記憶部７１は、通知先の情報を記憶するものである。通知先は、例えば、管理者のメールアドレスである。通知先は、対象者または管理者によって記憶部７１に予め記憶される。
取得部７２は、検出部５０によって出力された水の流れの有無を取得するものである。
【００３７】
判定部７３は、検出部５０によって検出された水の流れの有無に基づいて、対象者に異常があるか否かを判定するものである。判定部７３は、具体的には、検出部５０によって水の流れが無いと第一所定時間以上連続して検出された場合、対象者に異常があると判定する。第一所定時間は、例えば２４時間に設定されている。
【００３８】
また、判定部７３は、検出部５０によって水の流れが有ると第二所定時間以上連続して検出された場合、対象者に異常があると判定する。第二所定時間は、例えば２分に設定されている。
【００３９】
通知部７４は、判定部７３によって対象者に異常があると判定された場合、対象者の異常を通知先に通知するものである。通知部７４は、例えばインターネットや専用回線に接続され、外部に設けられたメールサーバ（図示なし）と通信可能に設けられている。通知部７４は、判定部７３によって対象者に異常があると判定された場合、対象者の異常がある旨を管理者のメールアドレスへメールを送信する。
【００４０】
発電部６０によって発電された電力を蓄電部７６に出力するものである。電力変換部７５は、例えばインバータである。また、電力変換部７５は、蓄電部７６の電力を検出部５０や制御装置７０の電力として出力する。さらに、電力変換部７５は、系統電源（図示なし)に接続され、蓄電部７６の電力が不足する場合に系統電源から供給される交流電圧を直流電圧に変換して、検出部５０や制御装置７０の電力として出力する。
【００４１】
蓄電部７６は、発電部６０によって発電された電力をためるものである。蓄電部７６は、例えはリチウムイオン二次電池等の蓄電池である。蓄電部７６は、制御装置７０に対して着脱可能に設けられている。
【００４２】
ここで、本第一実施形態の浄水器１の被取付部１０と、従来の浄水器２００の被取付部２１０と異なる部位について図６乃至図７Ｂを用いて説明する。従来の浄水器２００の被取付部２１０は、導入口２１２、導出口２１３、第一接続部２１４、第二接続部２１５、第一水路２１６および第二水路２１７に加え、第二流通部２１８、切替バルブ２１９および操作レバー２９０が設けられている。なお、第一水路２１６および第二水路２１７は、第一流通部２８０を構成する。
【００４３】
第二流通部２１８は、図７Ｂに示すように、導入口２１２と導出口２１３とを接続し、水を流通させるものである。第二流通部２１８は、切替バルブ２１９が回転されることにより形成される（詳細は後述する）。第二流通部２１８には、浄水部４０および検出部５０が設けられていない。これにより、第二流通部２１８は、導入口２１２から導入された水を直接的に導出口２１３へ流通させる。すなわち、導入口２１２から導入された水は、第二流通部２１８を流通した場合、浄化されずに導出口２１３から流し台２に導出される。
【００４４】
切替バルブ２１９は、第一流通部２８０および第二流通部２１８の一方の水の流通を許容し、かつ、第一流通部２８０および第二流通部２１８の他方の水の流通を規制する切替を行うものである。切替バルブ２１９は、円柱状に形成され、外側面が本体部２１１の内部に液密に軸線周りに摺動可能に収納されている。切替バルブ２１９は、第一位置Ｐ１（図６および図７Ａ参照）と第二位置Ｐ２（図７Ｂ参照）との間を回動することによって切替を行う。
【００４５】
第一位置Ｐ１は、第一流通部２８０の水の流通を許容し、第二流通部２１８の水の流通を規制する位置である。切替バルブ２１９が第一位置Ｐ１に位置する場合、図６および図７Ａに示すように、第一水路２１６を構成する第一切替水路２１９ａが導入口２１２と第一接続口２１４ａとを接続し、かつ、第二水路２１７を構成する第二切替水路２１９ｂが第二接続口２１５ａと導出口２１３とを接続する。また、この場合、第二流通部２１８を構成する第三切替水路２１９ｃは、導入口２１２と導出口２１３とを接続しない。
【００４６】
第二位置Ｐ２は、第一流通部２８０の水の流通を規制し、第二流通部２１８の水の流通を許容する位置である。切替バルブ２１９が第二位置Ｐ２に位置する場合、図７Ｂに示すように、第三切替水路２１９ｃが導入口２１２と導出口２１３とを接続する。また、この場合、第一切替水路２１９ａが導入口２１２と第一接続口２１４ａとを接続せず、かつ、第二切替水路２１９ｂが第二接続口２１５ａと導出口２１３とを接続しない。
【００４７】
操作レバー２９０は、対象者によって操作されることにより、切替バルブ２１９による切替を行うものである。操作レバー２９０は、対象者（使用者）によって手動にて操作され、水が浄化されて導出される切替バルブ２１９の第一位置Ｐ１と、水が浄化されずに直接導出される切替バルブ２１９の第二位置Ｐ２とを切り替える。
【００４８】
本第一実施形態の浄水器１は、上述した従来の浄水器２００における第二流通部２１８、切替バルブ２１９および操作レバー２９０が省略されている。
【００４９】
次に、上述した浄水器１における一般的な動作について説明する。対象者が水を利用しておらず、開閉弁３ａが閉状態である場合、浄水器１には、水が流れていない。この場合、第一流通部８０に流れる水の流量が所定流量より少ないため、検出部５０は、水の流れが無いと検出する。
【００５０】
一方、対象者が水を利用するために、開閉弁３ａを開状態にした場合、水は、吐水口３ｃから導出され、導入口１２から導入されて第一流通部８０を流通することにより、浄水部４０にて浄化され、導出口１３から導出される。第一流通部８０を流れる水の流量が所定流量以上である場合、検出部５０は水の流れが有ると検出する。
【００５１】
次に、上述した浄水器１における見守り機能の動作を、制御装置７０が実行する図４に示すフローチャートに沿って説明する。制御装置７０は、ステップＳ１０２にて水の流れの有無を取得する（取得部７２）。上述したように、検出部５０が水の流れが有ると検出した場合、制御装置７０は、水の流れが有ると取得する。一方、検出部５０が水の流れが無いと検出した場合、制御装置７０は、水の流れが無いと取得する。
【００５２】
続けて、制御装置７０は、ステップＳ１０４にて、第一所定時間以上連続して水の流れが無いか否かを判定する。例えば対象者の健康に異常が発生したために、対象者が開閉弁３ａを操作できず、開閉弁３ａが連続して閉状態である時間が第一所定時間以上となった場合、検出部５０によって水の流れが無いと連続して検出される時間が第一所定時間以上となる。
【００５３】
この場合、制御装置７０は、ステップＳ１０４にて「ＹＥＳ」と判定し、ステップＳ１０６にて対象者に異常があると判定する（判定部７３）。さらに制御装置７０は、ステップＳ１０８にて対象者の異常を通知する（通知部７４）。これにより、管理者に対して対象者に異常がある旨のメールが送信される。
【００５４】
一方、直前の水の使用が終了した時点から第一所定時間が経過していない場合、制御装置７０は、ステップＳ１０４にて「ＮＯ」と判定し、プログラムをステップＳ１１０に進める。
【００５５】
制御装置７０は、ステップＳ１１０にて、第二所定時間以上連続して水の流れが有るか否かを判定する。例えば対象者が開閉弁３ａを開状態としてから対象者の健康に異常が発生したために、対象者が開閉弁３ａを操作できず、開閉弁３ａが連続して開状態である時間が第二所定時間以上となった場合、検出部５０によって水の流れが有ると連続して検出される時間が第二所定時間以上となる。
【００５６】
この場合、制御装置７０は、ステップＳ１１０にて「ＹＥＳ」と判定し、ステップＳ１０６にて対象者に異常があると判定する（判定部７３）。さらに制御装置７０は、ステップＳ１０８にて対象者の異常を通知する（通知部７４）。これにより、管理者に対して対象者に異常がある旨のメールが送信される。
【００５７】
一方、直前の水の使用が開始された時点から第二所定時間が経過していない場合、制御装置７０は、ステップＳ１１０にて「ＮＯ」と判定し、プログラムをステップＳ１０２に戻す。
【００５８】
本第一実施形態によれば、浄水器１は、流し台２に設置された給水栓３から供給される水を浄化して導出するとともに、対象者の異常を通知する見守り機能を有する。浄水器１は、給水栓３に取付けられるとともに、給水栓３の吐水口３ｃから水を導入する導入口１２、および導入口１２から導入された水を流し台２に向けて導出する導出口１３を有する被取付部１０と、導入口１２と導出口１３とを接続し、水を流通させる第一流通部８０と、第一流通部８０に設けられ、水を浄化する浄水部４０と、第一流通部８０に設けられ、水の流れの有無を検出する検出部５０と、通知先の情報を記憶する記憶部７１と、検出部５０によって検出された水の流れの有無に基づいて、対象者に異常があるか否かを判定する判定部７３と、判定部７３によって対象者に異常があると判定された場合、対象者の異常を通知先に通知する通知部７４と、を備えている。
【００５９】
これによれば、浄水器１は、対象者宅の屋内に設けられている流し台２またはその周辺に配置することができる。具体的には、被取付部１０を流し台２に設置された給水栓３に取付し、他の部位を流し台２またはその周辺に配置することができる。したがって、浄水器１は、従来技術のような水道メータを利用した見守り機能を有するシステムに比べて簡便に設置することができる。
【００６０】
また、判定部７３は、検出部５０によって水の流れが無いと第一所定時間以上連続して検出された場合、対象者に異常があると判定する。
これによれば、浄水器１は、対象者の水の使用状態の異常ひいては対象者の異常を確実に判定して通知することができる。
【００６１】
また、判定部７３は、検出部５０によって水の流れが有ると第二所定時間以上連続して検出された場合、対象者に異常があると判定する。
これによれば、浄水器１は、対象者の水の使用状態の異常ひいては対象者の異常を確実に通知することができる。
【００６２】
また、被取付部１０および浄水部４０は、別体に設けられている。第一流通部８０は、管状に設けられるともに、被取付部１０と浄水部４０とを連結し、導入口１２から導入された水を浄水部４０に導出する第一連結管２０と、管状に設けられるともに、被取付部１０と浄水部４０とを連結し、浄水部４０から導出された水を導出口１３に向けて導出する第二連結管３０と、を備えている。
【００６３】
これによれば、被取付部１０と浄水部４０とが別体に設けられているため、浄水器１の取付場所の自由度を向上させることができる。特に、浄水部４０が比較的大きい場合に有効である。
【００６４】
また、浄水器１は、導入口１２と導出口１３とを接続し、水を流通させる第二流通部２１８と、第一流通部８０および第二流通部２１８の一方の水の流通を許容し、かつ、第一流通部８０および第二流通部２１８の他方の水の流通を規制する切替を行う切替バルブ２１９と、対象者によって操作されることにより、切替バルブ２１９による切替を行う操作レバー２９０と、が省略されている。
【００６５】
これによれば、浄水器１は、第二流通部２１８、切替バルブ２１９、および操作レバー２９０が省略されているため、対象者が水を使用した場合、水は、検出部５０が設けられている第一流通部８０を必ず流通する。よって、浄水器１は、対象者の水の使用状態の異常ひいては対象者の異常を確実に検知することができる。
【００６６】
また、検出部５０は、水の流れによって回転する羽根車５２の回転に基づいて、水の流れの有無を検出する。また、浄水器１は、羽根車５２の回転によって発電する発電部６０をさらに備えている。
【００６７】
これによれば、発電部６０の発電した電力を利用することによって、系統電源等の外部から供給される電力量を抑制することができる。
【００６８】
＜第二実施形態＞
次に、本発明の第二実施形態に係る浄水器１について、主として上述した第一実施形態と異なる部位について、図５を用いて説明する。本第二実施形態に浄水器１は、被取付部１１０と浄水部１４０とが着脱可能に一体的に設けられている。
【００６９】
本第二実施形態において、導入口１１２と導出口１１３とを接続する第一流通部１８０は、本体部１１１内に上下方向に沿って延びるように設けられている。検出部１５０、発電部１６０および制御装置１７０においても、本体部１１１内に設けられている。浄水部１４０は、本体部１１１の側方から着脱可能に設けられている。浄水路１４１は、本体部１１１内に上下方向に沿って延びるように設けられている。
【００７０】
なお、上述した各実施形態において、浄水器の一例を示したが、本発明はこれに限定されず、他の構成を採用することもできる。例えば、浄水器１が蓄電部７６を備えないようにしても良い。
【００７１】
また、上述した各実施形態において、制御装置７０，１７０は、系統電源から電力が供給されるが、制御装置７０，１７０と系統電源とが接続されずに、蓄電部７６の電力のみによって、制御装置７０，１７０が動作するようにしても良い。
【００７２】
また、上述した第一実施形態において、検出部５０は、第一流通部８０における第一連結管２０に設けられているが、これに代えて、第一流通部８０における他の部位に設けられるようにしても良い。
【００７３】
また、上述した各実施形態において、検出部５０，１５０は、羽根車５２を備えた流量スイッチによって設けられているが、これに代えて、水の流れによって動作するフロートおよびフロートの動作によってオンオフするリードスイッチを備えたフロースイッチによって設けるようにしても良い。
【００７４】
また、上述した各実施形態において、浄水器１は、従来の浄水器２００における第二流通部２１８、切替バルブ２１９および操作レバー２９０が省略されているが、これに代えて、浄水器１が第二流通部２１８、切替バルブ２１９および操作レバー２９０を備えるようにしても良い。
【００７５】
また、上述した各実施形態において、通知部７４は、対象者に異常があると判定された場合、対象者の異常を通知先に通知するが、これに代えて、対象者に異常が無いと判定された場合において、対象者に異常が無い旨を通知するようにしても良い。さらに、判定部７３の判定結果に関わらず、検出部５０によって検出された水の流れの有無を通知先に通知するようにしても良い。
【００７６】
また、本発明の要旨を逸脱しない範囲において、被取付部１０，１１０の形状、第一流通部８０（第一水路１６、第一連結管２０、浄水路４１、第二連結管３０および第二水路１７），第一流通部１８０の形状、各接続部１４，１５の形状を変更するようにしても良い。
【符号の説明】
【００７７】
１…見守り機能付き浄水器（浄水器）、２…流し台、３…給水栓、３ｃ…吐水口、１０…被取付部、１２…導入口、１３…導出口、１４…第一接続部、１５…接続部、２０…第一連結管、３０…第二連結管、４０…浄水部、５０…検出部、５２…羽根車、６０…発電部、７１…記憶部、７３…判定部、７４…通知部、７６…蓄電部、８０…第一流通部、２１８…第二流通部、２１９…切替バルブ、２９０…操作レバー。
【図１】
2019185157.tif 000003
【図２】
2019185157.tif 000004
【図３】
2019185157.tif 000005
【図４】
2019185157.tif 000006
【図５】
2019185157.tif 000007
【図６】
2019185157.tif 000008
【図７Ａ】
2019185157.tif 000009
【図７Ｂ】
2019185157.tif 000010